(57)【要約】      （修正有）【課題】高枝剪定鋏を果実収穫器として用いる場合に於いて、果梗への鋏の到達を容易にし、果実収穫器としてのより効果的転用を図る。【解決手段】長柄（１）の先端に装着される鋏（３）の付け根部を前後に二分割し、両者を屈曲軸（４）でリンク状に枢着して鋏の姿勢角度調節を可能ならしめると共に、該屈曲軸の回動を握りボルト（５）によって規制する。鋏の可動刃（３ｂ）をケーブルワイヤー（７）を介して長柄後方に装着したハンドル（８）と係合させ、鋏の姿勢角度に影響を受けることなく、該ハンドルを操作する事によって可動刃が回動して鋏が閉じる構造とする。【選択図】図１
0003123489.tif 000002
【実用新案登録請求の範囲】
【請求項１】
鋏の付け根部が前後に二分割され、両者がリンク状に枢着された構造を持つ高枝剪定鋏。
【請求項２】
鋼線を螺旋巻きしたアウターチューブが、多数の細い鋼線を撚って作られたインナーケーブルを外筒状に包んだ構造にあって、且つその片側終端部で該アウターチューブの端末部材が該インナーケーブルの端末部材に当接するか、もしくは接合した構造のケーブルワイヤーを線状駆動力伝達部材として具備した、請求項１の高枝剪定鋏。
【考案の詳細な説明】
【技術分野】
【０００１】  本考案は造園、果樹園芸等で用いられる高枝剪定鋏、並びに果樹栽培に於いて高所に生る果実を収穫する為の果実収穫器に関するものである。
【背景技術】
【０００２】  造園、果樹園芸等で広く用いられる高枝剪定鋏に果実受け容器などを装着し、該剪定鋏を果実収穫器として用いることはこれまでにも一部の果樹栽培農家で行われていた。【０００３】  しかし従来の高枝剪定鋏は長柄から先端の鋏までが直線状になっており、大きく膨らんだ果実の上面中央にある果梗に向けて、果樹の下から鋏を届かせるには角度上の難点があった。
【考案の開示】
【考案が解決しようとする課題】
【０００４】  従来の高枝剪定鋏がもつ斯様な難点を取り除き、果実収穫器にも容易に転用し得る高枝剪定鋏を具現する為に本考案がなされた。
【課題を解決させる為の手段】
【構成】
【０００５】  本考案の高枝剪定鋏は主として長柄（１）、鋏（３）、ハンドル（８）で構成され、更にこれを果実収穫器として用いる場合は別部品として着脱可能なホッパーダクト（１４）が構成要素に加わる。長柄の先端部に鋏が装着され、先端よりやや後方寄りにホッパーダクトが、更に長柄後方にハンドルが装着される。
【０００６】  長柄（１）は作業に適した長さの直線状のパイプで、その中間部には引き出し口（１ａ）が明けられている。
【０００７】  長柄（１）の先端にはフレーム（２）が固定されており、該フレームの先端には屈曲軸（４）があって、該屈曲軸部に鋏（３）がリンク状に枢着され、更に該屈曲軸部には握りボルト（５）がある。即ち鋏は該屈曲軸部で角度変更可能な状態で取り付けられている。
【０００８】  鋏は固定刃（３ａ）と可動刃（３ｂ）で構成されており、固定刃の根元側面にはスプリング（６）があって普段可動刃を開く方向に付勢している。
【０００９】  コイル状のスプリング（６）の中を挿通された状態で、ケーブルワイヤー（７）のインナーケーブル（７ａ）が可動刃（３ｂ）に係合しており、該ケーブルワイヤーが長柄後方に装着されたハンドル（８）と係合している。
【００１０】  ケーブルワイヤー（７）は一般にボーデンケーブルと呼ばれるもので、多数の細い鋼線を撚って作られたインナーケーブル（７ａ）を、鋼線を螺旋状に巻いたアウターチューブ（７ｂ、７ｅ）が被包した構造にあり、比較的柔軟に湾曲させ得る。該ケーブルワイヤーは長柄（１）の先端寄りではパイプ状の長柄の内部に挿通され、長柄中間部に明けられた引き出し口（１ａ）から長柄の外に導出されてハンドル（８）に係合している。更に該アウターチューブは引き出し口付近で二分割されており、前側の固定アウターチューブ（７ｅ）は鋏の固定刃（３ａ）の側面に固定され、後側の可動アウターチューブ（７ｂ）は後端部でインナーケーブルの端末係止部材（７ｃ）に当接している。即ちインナーケーブル（７ａ）は、先端部から引き出し口（１ａ）付近までは固定アウターチューブ（７ｅ）に被包され引き出し口付近から後端までは可動アウターチューブ（７ｂ）に被包されている。
【００１１】  ハンドル（８）は、上部の筒状部に長柄が挿入された状態で、長柄後方寄りに装着されており、握りボルト（９）を緩めれば、引き出し口（１ａ）から長柄後端までの間で長柄に沿っての摺動並びに長柄を中心軸としての角度調節が可能である。
【００１２】  ハンドル（８）にはレバーピン（１１）があって、これにレバー（１０）が枢着されており、更に該レバーはサブレバーピン（１２）部で上下に二分割され、レバー下片（１０ａ）が反ハンドル方向に回動可能な構造にある。
【００１３】  レバー上片（１０ｂ）はスプリング（１３）により前方に付勢されており、レバー下片（１０ａ）はストッパーの規制範囲内でサブレバーピン（１２）部から垂下している。
【００１４】  ケーブルワイヤー（７）はレバー上片（１０ｂ）の下端面とレバー下片（１０ａ）の上端面との間に挿通されているが、レバー下片が垂下した状態では係合関係はなく、自由である。しかしレバー下片がハンドル方向へ牽引された時にはレバー上片の下端面とレバー下片の上端面とが対向して挟持体を構成し、両端面間を挿通させたケーブルワイヤーの可動アウターチューブ（７ｂ）を狭持する。
【００１５】  該挟持体の対向面には被挟持物である可動アウターチューブの損耗を抑制し、且つ把握を確実にする加工が施されている。
【００１６】  挟持体間に挿通されたケーブルワイヤー（７）の後端部はハンドルの握り部近くに明けられた貫通孔（８ａ）から後方に抜けており、該後端部では可動アウターチューブの端末スリーブ（７ｄ）がインナーケーブルの端末係止部材（７ｃ）に当接している。
【００１７】  別部品として布地もしくはビニールシート地などの素材で作られた円筒のホッパーダクト（１４）がある。ホッパーダクトはフック（１４ｄ）部で長柄（１）に着脱可能であり、更に該ホッパーダクトの途中には弾力性帯材を円形にした、いくつかの落下抑制バンド（１４ａ）が巻かれている。該ホッパーダクトの長さは最上部に生る果実の高さから地面に十分に届く長さである。
【各部品の働きと相互関係】
【００１８】  長柄（１）は剪定目的の枝、もしくは収穫目的の果実へのアプローチを容易にする。
【００１９】  フレーム（２）は屈曲軸（４）をもって鋏（３）を長柄（１）に装着する働きをし、屈曲軸（４）及び握りボルト（５）は本器具の使用目的に応じて、鋏の姿勢角度の調節を可能にする。
【００２０】  ケーブルワイヤー（７）は後方のハンドル（８）が操作された時の駆動力を先端部の鋏（３）に伝達する。その際、固定アウターチューブ（７ｅ）は特にカーブが急になる屈曲軸（４）付近並びに長柄（１）内部でのインナーケーブル（７ａ）の動きを案内する働きをする。
【００２１】  ハンドル（８）は鋏を操作する働きをし、該ハンドルのレバー下片（１０ａ）が握られると、レバー下片の上端面とレバー上片（１０ｂ）の下端面とが挟持体を構成してその間に挿通されたケーブルワイヤーの可動アウターチューブ（７ｂ）を挟持し、これを後方へ牽引する。
【００２２】  レバー（１０）が挟持して後方へ引くのは可動アウターチューブ（７ｂ）であり、該可動アウターチューブの端末スリーブ（７ｄ）が後端部でインナーケーブルの端末係止部材（７ｃ）に当接して駆動力をインナーケーブルに伝達し、この動きに伴って先端部の可動刃（３ｂ）が回動して刃を閉じる。
【００２３】  レバー下片（１０ａ）が放されるとハンドル（８）とケーブルワイヤー（７）との係合関係が断たれる為、可動刃（３ｂ）はスプリング（６）の付勢力によって開く。
【００２４】  ケーブルワイヤー（７）はレバー下片（１０ａ）が引かれた時以外は挟持されておらず、握りボルト（９）を緩めるだけで、目的の枝や果実との距離や作業性に応じてハンドル位置及び姿勢角度の調節が可能である。
【００２５】  ホッパーダクト（１４）は果実収穫時にのみ用いる部品で、果梗を切断して収穫した果実を地面に置かれた収集篭などへ落下誘導する働きをし、落下抑制バンド（１４ａ）は果実の落下速度を抑制して損傷を予防する。
【００２６】  フック（１４ｄ）はホッパーダクトの着脱を可能にし、握りボルト（１４ｅ）は該フックを長柄に固定する働きをする。
【使用方法】
【００２７】  本器具の使用方法はその目的、即ち枝剪定に用いる場合と果実収穫に用いる場合とによって二方法に別れる。
【００２８】  本器具を枝の剪定に用いる場合はホッパーダクト（１４）を取外し、長柄先端近くの握りボルト（５）を緩めて鋏（３）を真直ぐに伸ばす。
【００２９】  切断する枝との距離を調節する必要がある場合はハンドル（８）の握りボルト（９）を緩めてハンドル位置及び姿勢角度を調節する。
【００３０】  切断目的の枝に鋏が届いたらハンドルを把持してレバー（１０）を引く。
【００３１】  本器具を果実収穫に用いる場合はホッパーダクト（１４）を長柄に装着し、鋏（３）の姿勢が果梗切断に適するような角度に鋏を曲げる。
【００３２】  収穫した果実を収集する篭などを予め準備して果樹の下に置き、その中にホッパーダクト（１４）の下端を差し入れて置く。
【００３３】  使用者と目的の果実との距離やハンドル（８）の取り付け角度を調節する場合は握りボルト（９）を緩めて調節する。
【００３４】  目的の果実がホッパーダクト内に入るように先端部を誘導しながら、先端を果実に近づけ、鋏が果梗に届いたらレバー（１０）を引く。
【００３５】  枝、もしくは果梗を切断したらレバーを放す。果実はホッパーダクト（１４）内に落下し、下に置かれた収集篭に誘導される。
【００３６】  本器具の使用を終えて収納する際は、ハンドル（８）を最後端部に引き寄せ、貫通孔（８ａ）をもってケーブルワイヤーの端末スリーブ（７ｄ）を後方へ引き、その位置で握りボルト（９）を締める。これにより鋏を閉じた状態での収納が可能となる。
【考案の効果】
【００３７】  本考案の高枝剪定鋏を用いる事により、果梗切断が容易となり、果実収穫器としての転用がより効果的となる。
【使用例】
【００３８】  これまで本考案器具を果実収穫に用いる場合について、果梗を切断した果実をホッパーダクト（１４）を通して果樹の下に置かれた篭などに誘導する使用例を示したが、果実によってはより丁寧な取り扱いが求められる種類も多い。そのようなケースではホッパーダクトの代わりに比較的浅い袋などを装着し、果実の落下距離を短くして損傷を防ぐ必要がある。このように受け袋（１５）を装着した使用例を図５に示す。
【考案を実施する為の最良の形態】
【００３９】  本考案の構造では屈曲軸、スプリングなどの可動部品が長柄の外部に露出することとなり、これらが枝葉に干渉して作業性を低下させる可能性がある。この問題を解決するにはゴムなどの柔軟な素材で作られ、握りボルトの操作に支障を生じない構造のカバーで屈曲軸周囲を覆う事が望まれる。
【００４０】  本考案を実施する際、鋏が屈曲軸部で屈伸する事を考慮するなら、線状駆動力伝達部材としては柔軟に湾曲させ得るケーブルワイヤーを用いるのが望ましい。その際、鋼線を撚って作られたインナーケーブルだけを用いる事も可能ではあるが、操作位置の可動性を確保しながらインナーケーブルを直接挟持しようとしても、その把握力が十分得られるかは疑問であり、仮に把握力を増す対策をすればインナーケーブルが早期に損耗する恐れがあり、操作位置の可動性も損なわれる。この損耗を予防し、且つケーブルワイヤーの把握力を確保する観点から、レバー部の挟持体によるインナーケーブルの直接挟持を避け、一次的線状駆動力伝達媒体として可動アウターチューブを挟持して動かし、二次的にインナーケーブルに伝えるのが良好策と言える。
【図面の簡単な説明】
【００４１】
【図１】はホッパーダクトを装着した状態での、本考案の器具全体を示す外観斜視図である。
【図２】はホッパーダクトを取り外した状態での、本考案の器具全体を示す側断面図である。
【図３】は本考案の先端鋏部を示す部分上面図である。
【図４】は本考案の器具を剪定鋏として用いる為に鋏を伸ばした状態を示す外観斜視図である。
【図５】はホッパーダクトの代わりに受け袋を装着し、果梗を切断する状態を示す部分外観斜視図である。
【符号の説明】
【００４２】  １：長柄、  １ａ：引き出し口、  ２：フレーム、  ３：鋏、  ３ａ：固定刃、  ３ｂ：可動刃、  ４：屈曲軸、  ５：握りボルト、  ６：スプリング、  ７：ケーブルワイヤー、  ７ａ：インナーケーブル、  ７ｂ：可動アウターチューブ、  ７ｃ：端末係止部材、  ７ｄ：端末スリーブ、  ７ｅ：固定アウターチューブ、  ８：ハンドル、  ８ａ：貫通孔、  ９：握りボルト、  １０：レバー、  １０ａ：レバー下片、  １０ｂ：レバー上片、  １１：レバーピン、  １２：サブレバーピン、  １３：スプリング、  １４：ホッパーダクト、  １４ａ：落下抑制バンド、  １４ｂ：サポートリング、  １４ｃ：リンクフレーム、  １４ｄ：フック、  １４ｅ：握りボルト、  １５：受け袋。
【図１】
0003123489.tif 000003
【図２】
0003123489.tif 000004
【図３】
0003123489.tif 000005
【図４】
0003123489.tif 000006
【図５】
0003123489.tif 000007